(57)【特許請求の範囲】
【請求項１】
電話端末を収容し、VoIPネットワーク上で使用されるゲートウェイにおいて、該ゲートウェイは、
複数の回線のいずれかに接続された前記電話端末から、該電話端末で入力された所定のコードを入力して、該電話端末で前記所定のコードとして電話番号登録コードおよび登録電話番号が入力されると、前記電話番号登録コードを検出して、前記電話番号登録コードおよび前記登録電話番号に基づく登録要求を出力する回線手段と、
前記電話端末の電話番号を電話端末が接続される回線の回線番号ごとに記憶する電話番号情報メモリを有し、前記回線手段から前記登録要求を受けたとき、前記電話番号情報メモリに前記登録要求に係る前記登録電話番号を書き込む装置情報管理手段と、
前記電話番号情報メモリに前記登録電話番号が書き込まれたとき、前記VoIPネットワーク上で使用される呼接続装置に対して前記登録電話番号の登録を要求する呼接続装置管理手段とを含むことを特徴とするゲートウェイ。
【請求項２】
請求項１に記載のゲートウェイにおいて、
前記回線手段は、該電話端末で前記所定のコードとして電話番号削除コードが入力されると、前記電話番号削除コードを検出して、前記電話番号削除コードに基づく削除要求を出力し、
前記装置情報管理手段は、さらに前記回線手段から前記削除要求を受けたとき、前記電話番号情報メモリから前記削除要求に係る電話番号を削除し、
前記呼接続装置管理手段は、さらに前記電話番号情報メモリから前記削除要求に係る電話番号が削除されたとき、前記VoIPネットワーク上で使用される呼接続装置に対して前記削除要求に係る電話番号の削除を要求することを特徴とするゲートウェイ。
【請求項３】
構内交換機を介して電話端末を収容し、VoIPネットワーク上で使用されるゲートウィにおいて、該ゲートウェイは、
複数の回線のいずれかに接続された前記電話端末から、該電話端末で入力された所定のコードを入力して、該電話端末で前記所定のコードとして電話番号登録コード、登録電話番号および前記構内交換機における内線番号が入力されると、前記電話番号登録コードを検出して、前記電話番号登録コード、前記登録電話番号および前記内線番号に基づく登録要求を出力する回線手段と、
前記電話端末の電話番号と前記構内交換機における内線番号とを電話端末ごとに記憶する着信番号変換情報メモリを有し、前記回線手段から前記登録要求を受けたとき、前記着信番号変換情報メモリに前記登録要求に係る前記登録電話番号および前記内線番号を書き込む装置情報管理手段と、
前記着信番号変換情報メモリに前記登録電話番号および前記内線番号が書き込まれたとき、前記VoIPネットワーク上で使用される呼接続装置に対して前記登録電話番号の登録を要求する呼接続装置管理手段とを含むことを特徴とするゲートウェイ。
【請求項４】
請求項３に記載のゲートウェイにおいて、
前記回線手段は、該電話端末で前記所定のコードとして電話番号削除コードおよび前記構内交換機における内線番号が入力されると、前記電話番号削除コードを検出して、前記電話番号削除コードおよび前記内線番号に基づく削除要求を出力し、
前記装置情報管理手段は、さらに前記回線手段から前記削除要求を受けたとき、前記着信番号変換情報メモリから前記削除要求に係る内線番号、および該内線番号に対応する電話番号を削除し、
前記呼接続装置管理手段は、さらに前記着信番号変換情報メモリから前記削除要求に係る前記内線番号および前記電話番号が削除されたとき、前記VoIPネットワーク上で使用される呼接続装置に対して前記削除要求に係る前記電話番号の削除を要求することを特徴とするゲートウェイ。
【請求項５】
請求項２に記載のゲートウェイと同一の第１のゲートウェイおよび第２のゲートウェイが動作するVoIPネットワークにおける電話番号登録方法において、該方法は、
前記第１のゲートウェイに収容される電話端末から電話番号変換削除コードが入力されることによって、該第１のゲートウェイに対して電話番号の削除要求を出力する工程と、
前記第１のゲートウェイの装置情報管理手段により、前記削除要求に応じて前記電話番号情報メモリから前記削除要求に係る電話番号を削除する工程と、
前記第１のゲートウェイの呼接続装置管理手段により前記呼接続装置に対して削除要求に係る電話番号の削除を要求する工程と、
前記第２のゲートウェイに収容される電話端末から電話番号変換登録コードが入力されることによって、該第２のゲートウェイに対して前記削除要求に係る電話番号と同一の電話番号の登録要求を出力する工程と、
前記第２のゲートウェイの装置情報管理手段により、前記登録要求に応じて前記電話番号情報メモリに登録要求に係る電話番号を書き込む工程と、
前記第２のゲートウェイの呼接続装置管理手段により、前記呼接続装置に対して登録要求に係る電話番号の登録を要求する工程とを含むことを特徴とする電話番号登録方法。
【請求項６】
請求項４に記載のゲートウェイと同一の第３のゲートウェイおよび第４のゲートウェイが動作するVoIPネットワークにおける電話番号登録方法において、該方法は、
前記第３のゲートウェイに接続される第１の構内交換機に収容される電話端末から電話番号変換削除コードが入力されることによって、該第３のゲートウェイに対して電話番号の削除要求を出力する工程と、
前記第３のゲートウェイの装置情報管理手段により、前記削除要求に応じて前記電話番号情報メモリから前記削除要求に係る電話番号を削除する工程と、
前記第３のゲートウェイの呼接続装置管理手段により前記呼接続装置に対して削除要求に係る電話番号の削除を要求する工程と、
前記第４のゲートウェイに接続される第２の構内交換機に収容される電話端末から電話番号変換登録コードが入力されることによって、該第４のゲートウェイに対して前記削除要求に係る電話番号と同一の電話番号の登録要求を出力する工程と、
前記第４のゲートウェイの装置情報管理手段により、前記登録要求に応じて前記電話番号情報メモリに登録要求に係る電話番号を書き込む工程と、
前記第４のゲートウェイの呼接続装置管理手段により、前記呼接続装置に対して登録要求に係る電話番号の登録を要求する工程とを含むことを特徴とする電話番号登録方法。
【請求項７】
請求項１に記載のゲートウェイにおいて、該ゲートウェイは、前記装置情報管理手段が前記電話番号情報メモリに前記登録電話番号を書き込んだ後、該登録電話番号に係る前記電話端末が接続する前記回線について、呼がある場合には予閉塞状態に設定し、また呼がない場合には閉塞状態に設定し、
前記回線が閉塞状態になった後で、再登録処理を開始して呼接続装置と所定の呼処理を行い、前記呼接続装置による前記登録電話番号の登録を確認することを特徴とするゲートウェイ。
【請求項８】
請求項２に記載のゲートウェイにおいて、該ゲートウェイは、前記装置情報管理手段が前記電話番号情報メモリから前記削除要求に係る電話番号を削除した後、該登録電話番号に係る前記電話端末が接続する前記回線について、呼がある場合には予閉塞状態に設定し、また呼がない場合には閉塞状態に設定し、
前記回線が閉塞状態になった後で、再登録処理を開始して呼接続装置と所定の呼処理を行い、前記呼接続装置による前記削除要求に係る電話番号の削除を確認することを特徴とするゲートウェイ。
【発明の詳細な説明】
【０００１】
【発明の属する技術分野】
本発明は、IP（Internet Protocol ）ネットワーク上で音声通信やFAX 通信を行う電話端末を収容するVoIP（Voice over IP）ゲートウェイ（Gateway）に関する。
【０００２】
【従来の技術】
IPネットワークに接続されたゲートウェイに収容される電話端末は、VoIPにより音声通信やFAX 通信を行うためには、IPネットワークに接続されているゲートキーパー（Gatekeeper）に自己の電話番号を登録する必要がある。従来、電話端末の電話番号を登録する処理は、システムの管理者により行われていた。例えば、管理者は、ゲートウェイに回線01〜0nを介して収容されている電話端末１〜ｎの電話番号1001〜100nをゲートキーパーに登録する場合、回線番号および電話番号からなる電話番号情報（回線01：電話番号1001、回線02：電話番号1002、回線03：電話番号1003、・・・、回線0ｎ：電話番号100ｎ）を保守端末から直接あるいはIPネットワークを介してゲートウェイに送出して登録し、ゲートウェイの再立ち上げを行う。ゲートウェイでは、登録した各電話番号をITU-T （International Telecommunication Union Telecommunication Standardization Sector）勧告H.323 に規定されているメッセージRRQ を使用してゲートキーパーに送出し、登録を要求していた（例えば、非特許文献１参照）。
【０００３】
【非特許文献１】
ITU-T 勧告H.323 （７章２項２節）。
【０００４】
【発明が解決しようとする課題】
しかしながら、以上に述べた電話番号登録方法では、システムの管理者が全ての電話端末の電話番号を管理しなければならなかった。また、管理者は、電話番号情報をゲートウェイに登録後、そのゲートウェイの再立ち上げを行う必要があった。
【０００５】
本発明はこのような従来技術の欠点を解消し、電話端末の使用者が自己の電話番号を電話端末からゲートキーパーに対して登録要求するができるゲートウェイを提供することを目的とする。
【０００６】
【課題を解決するための手段】
本発明によるゲートウェイは上記の問題を解決するために、電話端末の電話番号を電話端末が接続される回線の回線番号ごとに記憶する電話番号情報メモリを有し、電話端末から電話番号の登録要求を受けたとき、電話番号情報メモリに登録要求に係る電話番号を書き込む装置情報管理手段と、電話番号情報メモリに登録要求に係る電話番号が書き込まれたとき、VoIPネットワーク上で使用されるゲートキーパーに対して登録要求に係る電話番号の登録を要求するゲートキーパー管理手段とを含むことを特徴とする。
【０００７】
また、本発明によるゲートウェイは、電話端末の電話番号と構内交換機における内線番号とを電話端末ごとに記憶する着信番号変換情報メモリを有し、電話端末から電話番号の登録要求を受けたとき、着信番号変換情報メモリに登録要求に係る電話番号および内線番号を書き込む装置情報管理手段と、着信番号変換情報メモリに登録要求に係る電話番号および内線番号が書き込まれたとき、VoIPネットワーク上で使用されるゲートキーパーに対して登録要求に係る電話番号の登録を要求するゲートキーパー管理手段とを含むことを特徴とする。
【０００８】
【発明の実施の形態】
次に添付図面を参照して本発明によるゲートウェイの実施例を詳細に説明する。図１は、本発明によるゲートウェイ（GW装置14）の実施例を示すブロック図であり、図２は、このGW装置14を使用したVoIPネットワークの構成例である。図２のVoIPネットワークは、IP網10、IP網10に接続されたGK装置12およびGW装置14から構成され、GW装置14には電話端末16-1〜16-nが接続されている。ここで、IP網10は、IP（Internet Protocol ）が適用される情報ネットワークである。GK装置12は、GW装置14の登録、管理、状態を制御し、また他のGW装置間での呼接続を行うゲートキーパーである。
【０００９】
また、GW装置14は、電話端末16-1〜16-nとIP網10とのインターフェースをとるゲートウェイであり、本実施例では特に、電話端末16-1〜16-nの電話番号情報を含む自装置情報を管理し、GK装置12に対して自装置情報の登録や登録離脱を要求する機能を有する。電話端末16-1〜16-nの使用者は、電話端末からゲートウェイに対して自己の電話番号の登録、変更、登録離脱を要求することにより、IP網に接続されるGK装置12おける電話番号の登録、変更、登録離脱を行うことができる。
【００１０】
図１に示すGW装置14の実施例について説明すると、GW装置14は、回線部50、装置情報管理部52、回線制御部54およびGK管理部56を含む。なお、図１は、電話番号の登録、変更、登録離脱に関係する部分のみを示し、音声通信を制御する音声制御部、FAX 通信を制御するFAX 制御部、DSP （Digital Signal Processing ）を制御するDSP 制御部等については省略してある。また、接続線に付した参照符号は、その接続線に現れる信号を表わす。
【００１１】
回線部50は、電話端末16-1〜16-nとGK装置14とのインターフェースをとるものであり、本実施例では、電話端末16-1〜16-nから入力される電話番号登録コード（例えば、#*1 ）および電話番号削除コード（例えば、#*2 ）を検出する機能を含む。そして、電話番号登録コードを検出したとき、電話番号登録コードと共に送られてきた電話番号と、その電話番号登録コードが送られてきた回線の回線番号とを付加した登録要求102 を生成して装置情報管理部52に出力し、電話番号削除コードを検出したとき、電話番号削除コードが送られてきた回線の回線番号を付加した削除要求104 を生成して装置情報管理部52に出力する。
【００１２】
装置情報管理部52は、自装置に関する情報（自装置情報）を管理するものであり、自装置情報を格納する自装置情報メモリを有する。自装置情報には電話番号情報が含まれ、自装置情報メモリには電話番号情報メモリが含まれる。電話番号情報メモリは、電話番号情報として、GK装置12に登録されている電話番号（着信番号）を回線番号ごとに記憶している。装置情報管理部52は、回線部50から登録要求102 を受けたとき、登録要求102 に付加されている回線番号に対応する電話番号が電話番号情報メモリに記憶されている場合には、その電話番号を登録要求102 に付加されている電話番号で書き換え、記載されていない場合には、登録要求102 に付加されている電話番号を新たに書き込む。
【００１３】
また、装置情報管理部52は、回線部50から削除要求104 を受けたとき、その削除要求104 に付加されている回線番号に対応する電話番号を電話番号情報メモリから削除する。そして、更新および削除の処理後、回線制御部54に対して閉塞要求106 を出力する。また、装置情報管理部52は、GK管理部56から自装置情報の変更内容を問い合わせる自装置情報問合せ112 を受けたとき、自装置情報の変更内容を示す変更情報114 をGK管理部56に通知する。
【００１４】
回線制御部54は、呼を管理する呼制御部であり、本実施例では、装置情報管理部32から閉塞要求106 を受けたとき、呼がない場合には回線を閉塞状態に、呼がある場合には予閉塞状態にそれぞれ設定する。閉塞状態は、例えば、電話端末からの発信を回線部50または回線制御部54にて受け付けないようにすることにより実現される。回線制御部54は、閉塞状態を確認したときGK装置12との間の呼を確立し、GK管理部56に対して再登録処理要求108 を出力する。また、GK管理部56から閉塞解除要求110 を受けたとき閉塞を解除する。
【００１５】
GK管理部56は、本実施例では、GK装置12との間で所定のメッセージを授受してGK装置12に対して電話番号の登録、更新、削除を要求するものであり、IPパケットの組立て、分解等を行う機能を含む。GK管理部56は、回線制御部54から再登録処理要求108 を受けたとき、装置情報管理部52に対して自装置情報問合せ112 を出力して装置情報管理部32から自装置情報の変更内容を示す変更情報114 を受け、電話番号情報の変更内容を把握する。そして、電話番号が更新、追加、削除されているとき、GK装置12に対して電話番号の更新、追加、削除を要求する。
【００１６】
GK管理部56からGK装置12に対する要求は、本実施例では、ITU-T H.323 仕様に基づくメッセージURQ （Unregister Request）およびRRQ （Registration Request）を使用して行われ、要求に対する確認はGK装置12から送られてくるUCF （Unregister Confirm）およびRCF （Registration Confirm）により行われる。例えば、GK装置12に対して電話番号の変更を要求する場合、先ず旧電話番号の登録離脱を要求するURQ を送出し、次いで新電話番号の登録を要求するRRQ を送出する。
【００１７】
次に、図２のVoIPネットワークにおける各装置の動作について説明する。先ず、GK装置12に登録されている電話端末16-m（1≦m≦n ）の電話番号“100m”を“1234”に変更する場合を例にとって各装置の動作を、図３を参照して説明する。電話端末16-mの使用者は、電話端末16-mにより電話番号の登録変更を要求する電話番号登録コード（#*1 ）と電話番号“1234”とを入力する（図３のステップS1）。なお、電話番号の新規登録を要求する場合もコード（#*1 ）を使用する。電話番号登録コード（#*1 ）と電話番号“1234”はWG装置14の回線部50に入力される。
【００１８】
回線部50では、電話端末16-mからの電話番号登録コード（#*1 ）を検出すると、電話番号登録コード（#*1 ）が入力された回線の回線番号“0m”と、電話番号登録コード（#*1 ）と共に送られてきた電話番号“1234”とを付加した登録要求102 を生成して装置情報管理部52に出力する（ステップS2）。
【００１９】
装置情報管理部52では、回線部50から登録要求102 を受けると、登録要求102 に付加されている回線番号“0m”と電話番号“1234”とに基づいて電話番号情報を更新する。この場合、電話番号情報メモリには回線番号“0m”に対応する電話番号“100m”が既に記憶されているので、その電話番号“100m”を“1234”に書き換える（ステップS3）。なお、電話番号“100m”が記憶されていない場合には、電話番号“1234”を新たに書き込む。装置情報管理部52では、電話番号情報の設定変更の後、回線制御部54に対して閉塞要求106 を出力する（ステップS4）。
【００２０】
回線制御部54では、装置情報管理部52から閉塞要求106 を受けると、呼がある場合には回線を予閉塞状態に設定し、呼がない場合には閉塞状態に設定する。そして、閉塞状態になったことを確認すると、GK装置12間でメッセージの授受を開始するための呼処理を行うと共に、GK管理部56に対して再登録処理要求108 を出力して自装置情報の再登録処理を要求する（ステップS5）。
【００２１】
GK管理部56では、回線制御部54から再登録処理要求108 を受けると、装置情報管理部52に対して自装置情報問合せ112 を出力し（ステップS6）、装置情報管理部52から自装置情報の変更内容を示す変更情報114 を受ける（ステップS7）。GK管理部56では、この変更情報114 に基づいて電話番号情報の変更内容を把握する。この場合、電話番号情報の電話番号“100m”が“1234”に変更されているので、GK装置12に対して電話番号“100m”を“1234”に変更するよう要求する。具体的には、先ず、GK装置12に対してURQ を送出して電話番号“100m”の登録離脱を要求する（ステップS8）。
【００２２】
GK装置12では、登録離脱要求に応じて電話番号“100m”を登録から削除したとき、登録離脱したことを通知するUCF をGW装置14に対して送出する（ステップS9）。GW装置14のGK管理部56では、GK装置12からのUCF を受信し、電話番号“100m”の登録離脱を確認する。次いで、GK管理部56では、GK装置12に対してRRQ を送出して電話番号“1234”の登録を要求する（ステップS10 ）。GK装置12では、GW装置14の登録要求に応じて電話番号“1234”を登録したとき、登録したことを通知するRCF をGW装置14に対して送出する（ステップS11 ）。GK管理部56では、GK装置12からのRCF を受信し、電話番号“1234”の登録を確認する。
【００２３】
GK管理部56では、GK装置12により登録されていた電話番号“100m”が“1234”に変更されたことを確認できたので、回線制御部54に対して閉塞解除要求110 を出力する（ステップS12 ）。回線制御部54では、この閉塞解除要求110 を受けると回線の閉塞状態を解除し、電話端末16-1〜16-nからの発信を受け付ける状態に戻す。
【００２４】
なお、電話端末16-mの電話番号が未登録である場合には、登録電話番号の登録離脱を行う処理は不要となり、GK管理部56からGK装置12に対してURQ を出力する処理およびGK装置12からUCF を受信する処理は行なわれない。
【００２５】
次に、GK装置12に登録されている電話番号“100m”を削除する場合の各装置の動作を、図４を参照して説明する。電話端末16-mの使用者は、電話端末16-mにより電話番号の登録削除を要求する電話番号削除コード（#*2 ）を入力する（図４のステップS1）。電話番号削除コード（#*2 ）はWG装置14の回線部50に入力される。回線部50では、電話端末16-mからの電話番号削除コード（#*2 ）を検出すると、電話番号削除コード（#*2 ）が入力された回線の回線番号“0m”を付加した削除要求104 を生成して装置情報管理部52に出力する（ステップS2）。
【００２６】
装置情報管理部52では、回線部50から削除要求104 を受けると、削除要求104 に付加されている回線番号“0m”に基づいて電話番号情報を更新する。この場合、電話番号情報メモリには、回線番号“0m”に対する電話番号“100m”が記憶されているので、その電話番号“100m”を削除する（ステップS3）。装置情報管理部52では、電話番号情報を更新した後、回線制御部54に対して閉塞要求106 を出力する（ステップS4）。
【００２７】
回線制御部54では、装置情報管理部52からの閉塞要求106 を受けると、呼がある場合には回線を予閉塞状態に設定し、呼がない場合には閉塞状態に設定する。そして、閉塞状態になったことを確認すると、GK装置12間でメッセージの授受を開始するための呼処理を行うと共に、GK管理部56に対して再登録処理要求108 を出力して自装置情報の再登録処理を要求する（ステップS5）。
【００２８】
GK管理部56では、回線制御部54から再登録処理要求108 を受けると、装置情報管理部52に対して自装置情報問合せ112 を出力し（ステップS6）、装置情報管理部52から自装置情報の変更内容を示す変更情報114 を受ける（ステップS7）。GK管理部56では、この変更情報114 に基づいて電話番号情報の変更内容を把握する。この場合、電話番号情報の電話番号“100m”が削除されているので、GK管理部56では、先ずGK装置12に対してURQ を送出して電話番号“100m”の登録離脱を要求する（ステップS8）。GK装置12では、登録離脱要求に応じて電話番号“100m”を削除したとき、登録削除したことを通知するUCF をGW装置14に対して送出する（ステップS9）。
【００２９】
GW装置14のGK管理部56では、GK装置12からのUCF を受信し、GK装置12において電話番号“100m”の登録離脱が行われたことを確認する。次いで、GK管理部56では、回線制御部54に対して閉塞解除要求110 を出力する（ステップS10 ）。回線制御部54では、この閉塞解除要求110 を受けると回線の閉塞状態を解除し、電話端末16-1〜16-nの発信を受け付ける状態に戻す。
【００３０】
なお、本実施例のゲートウェイは、電話番号を登録および削除するための機能を備えているが、電話番号を登録するための機能のみを備えるようにしてもよい。
【００３１】
このように本実施例によるゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなる。なお、本実施例のGW装置14は、図１に示すように電話端末16-1〜16-nを直接収容しているが、構内交換機（PBX ）のビハインド（PSTN）接続の場合にも適用することができる。
【００３２】
また、本実施例によるゲートウェイに収容された電話端末の使用者は、場所を移動した場合にも、今までに使用していた電話番号を、電話番号体系を考慮せずにそのまま使用することができる。図５は、本実施例によるゲートウェイを使用した電話番号登録方法の一例を示す説明図であり、電話端末の使用者が場所を移動した後も元の電話番号を使用する場合の電話番号登録方法を示す。
【００３３】
図５において、IP網10にはGK装置12、GW装置18、20が接続され、GW装置18には場所Ａに設置されている電話端末22が収容されており、GW装置20には場所Ｂに設置されている電話端末24が収容されている。ここで、GW装置18、20は、図１に示すGW装置14と同じである。なお、電話端末22で使用していた電話番号“1234”は、GW装置18を介してGK装置12に登録されているものとする。
【００３４】
電話端末22の使用者は、場所Ａから場所Ｂに移動して電話端末24を使用する場合、移動前に場所Ａの電話端末22により電話番号削除コード“#*2 ”を入力する。これにより、GW装置18における電話番号情報から電話番号“1234”が削除され、GK装置12に登録されていた電話番号“1234”が登録離脱される。使用者は場所Ａから場所Ｂに移動する。使用者は、場所Ｂの電話端末24により電話番号登録コード“#*1 ”および電話番号“1234”を入力する。これにより、電話端末20が収容されているGW装置20の電話番号情報に電話番号“1234”が登録され、GK装置12には元の電話番号と同じ“1234”が新規に登録される。したがって、使用者は、移動後も移動前の電話番号をそのまま使用することができる。
【００３５】
図６は、本発明によるゲートウェイ（GW装置26）の他の実施例を示すブロック図であり、図７は、このGW装置26を使用したVoIPネットワークの構成例である。図７のVoIPネットワークは、IP網10、IP網10に接続されたGK装置12およびGW装置26から構成され、GW装置26には電話端末16-1〜16-nを収容する構内交換機（PBX ）28が接続されている。ここで、IP網10、GK装置12は、図２で同一符号が付されたIP網、GK装置とそれぞれ同じものである。
【００３６】
本実施例における電話端末16-1〜16-nの使用者は、PBX 28を介してGW装置26対して自己の電話番号の登録、変更、登録離脱を要求することにより、IP網に接続されるGK装置12おける電話番号の登録、変更、登録離脱を行うことができる。電話番号の登録、変更を希望する場合には、電話端末16-1〜16-nにより電話番号変換登録コード（例えば、#*3 ）と共にPBX 内線番号および新しい電話番号を入力し、電話番号の登録削除を希望する場合には、電話番号変換削除コード（例えば、#*4 ）と共にPBX 内線番号を入力すればよい。なお、電話端末16-1〜16-nの内線番号を1001〜100nとする。
【００３７】
図６に示すGW装置28の実施例について説明すると、GW装置28は、回線部60、装置情報管理部62、回線制御部64およびGK管理部66を含む。ここで、回線制御部64およびGK管理部66は、図１の回線制御部54およびGK管理部56とそれぞれ同じものである。しかし、電話端末16-1〜16-nはPBX 28を介してGW装置26の回線部60に接続されるため、回線部60および装置情報管理部62は、図１の回線部50および装置情報管理部52とは一部相違する。なお、図６は、電話番号の登録、変更、登録離脱に関係する部分のみを示してある。また、接続線に付した参照符号はその接続線に現れる信号を示す。
【００３８】
回線部60は、PBX 28とGK装置26とのインターフェースをとるものであり、本実施例では、PBX 28を介して電話端末16-1〜16-nから入力される電話番号変換登録コードおよび電話番号変換削除コードを検出し、電話番号変換登録コードを検出したとき、電話番号変換登録コードと共に送られてくるPBX 内線番号および電話番号を付加した登録要求116 を生成して装置情報管理部62に出力し、電話番号変換削除コードを検出したとき、電話番号変換削除コードと共に送られてくるPBX 内線番号および電話番号を付加した削除要求118 を生成して装置情報管理部62に出力する機能を含む。
【００３９】
装置情報管理部62は、自装置に関する情報（自装置情報）を管理するものであり、自装置情報を格納する自装置情報メモリを有する。自装置情報には着信番号変換情報が含まれ、自装置情報メモリには着信番号変換情報メモリが含まれる。着信番号変換情報メモリは、着信番号変換情報として、GK装置12に登録されている電話端末16-1〜16-nの電話番号とその電話番号に対応するPBX 内線番号（1001〜100n）とを記憶する。装置情報管理部62では、この着信番号変換情報に基づいて電話番号とPBX 内線番号との対応関係を把握する。
【００４０】
装置情報管理部62は、回線部60から登録要求116 を受けたとき、着信番号変換情報メモリに、登録要求102 に付加されているPBX 内線番号および電話番号が既に記憶されている場合には、その電話番号を登録要求116 に付加されている電話番号で書き換え、登録要求116 に付加されているPBX 内線番号および電話番号が記憶されていない場合には、そのPBX 内線番号および電話番号を新たに書き込む。また、回線部60から削除要求118 受けたとき、その削除要求118 に付加されているPBX 内線番号および電話番号を着信番号変換情報メモリから削除する。そして、上記の更新または削除の処理を終了したとき、回線制御部64に対して閉塞要求106 を出力する。
【００４１】
また、装置情報管理部62は、GK管理部66から自装置情報の変更内容を問い合わせる自装置情報問合せ112 を受けたとき、自装置情報の変更内容を示す変更情報114 をGK管理部66に出力するものである。なお、回線制御部64およびGK管理部66は、図２に示す回線制御部54およびGK管理部56と同じものであり、同じ機能を有する。
【００４２】
次に、図７のVoIPネットワークにおける各装置の動作について説明する。先ず、GK装置12に登録されている電話端末16-m（1≦m≦n ）の電話番号“100m”を“1234”に変更する場合を例にとって各装置の動作を、図８を参照して説明する。ただし、電話端末16-mのPBX 内線番号を“100m”とする。電話端末16-mの使用者は、電話端末16-mによりPBX 28を介してGW装置26を呼び出し、電話番号の登録変更を要求する電話番号変換登録コード（#*3 ）と共にPBX 内線番号“100m”および登録しようとする電話番号“1234”を入力する（図８のステップS1）。
【００４３】
電話番号変換登録コード（#*3 ）、PBX 内線番号“100m”および電話番号“1234”は、PBX 28を介してWG装置26の回線部60に入力される。回線部60では、電話番号変換登録コード（#*3 ）を検出すると、電話番号変換登録コード（#*3 ）と共に入力されたPBX 内線番号“100m”および電話番号“1234”を付加した登録要求116 を生成し、これを装置情報管理部62に出力する（ステップS2）。
【００４４】
装置情報管理部62では、回線部60から登録要求116 を受けると、登録要求116 に付加されているPBX 内線番号“100m”および電話番号“1234”に基づいて着信番号変換情報を更新する。この場合、着信番号変換情報メモリにPBX 内線番号“100m”および電話番号“100m”が記憶されているので、その電話番号“100m”を“1234”に書き換える（ステップS3）。装置情報管理部62では、着信番号変換情報の設定変更を終了すると、回線制御部64に対して閉塞要求106 を出力する（ステップS4）。
【００４５】
回線制御部64では、装置情報管理部62から閉塞要求106 を受けると、図１に示す回線制御部54の場合と同様にして回線を閉塞状態にする処理を行い、閉塞状態となった後、GK管理部66に対して再登録処理要求108 を出力する（ステップS5）。GK管理部66では、回線制御部64から再登録処理要求108 を受けると、図１に示すGK管理部56の場合と同様にして、装置情報管理部62に自装置情報の変更を問合せ（ステップS6）、変更内容を示す変更情報114 を取得する（ステップS7）。
【００４６】
この場合、回線制御部64では、変更情報114 により電話番号“100m”が“1234”に変更されたことを把握し、GK装置12に対して電話番号“100m”の登録離脱、電話番号“1234”の登録を要求する（ステップS8〜S11 ）。そして、電話番号“1234”が登録されたことを確認した後、回線制御部64に対して閉塞解除要求110 を出力する（ステップS11 ）。回線制御部64では、この閉塞解除要求110 を受けると閉塞状態の解除を行う。
【００４７】
次に、GK装置12に登録されている電話番号“1234”を削除する場合の各装置の動作を、図９を参照して説明する。電話端末16-mの使用者は、電話端末16-mによりPBX 28を介してGW装置26を呼び出し、電話番号の登録削除を要求する電話番号変換削除コード（#*4 ）と共にPBX 内線番号“100m”および削除する電話番号“1234”を入力する（図９のステップS1）。
【００４８】
電話番号変換削除コード（#*4 ）、PBX 内線番号“100m”および電話番号“1234”は、PBX 28を介してWG装置26の回線部60に入力される。回線部60では、電話端末16-mからの電話番号変換削除コード（#*4 ）を検出すると、入力されたPBX 内線番号“100m”および電話番号“1234”を付加した削除要求118 を生成し、これを装置情報管理部62に出力する（ステップS2）。
【００４９】
装置情報管理部62では、回線部60から削除要求118 を受けると、削除要求118 に付加されているPBX 内線番号“100m”および電話番号“1234”に基づいて着信番号変換情報を更新する。この場合、着信番号変換情報メモリには、PBX 内線番号“100m”および電話番号“1234”が記憶されているので、そのPBX 内線番号“100m”と電話番号“1234”を共に削除する（ステップS3）。装置情報管理部62では、着信番号変換情報を更新した後、回線制御部64に対して閉塞要求106 を出力する（ステップS4）。
【００５０】
回線制御部64では、装置情報管理部62からの閉塞要求106 を受けると、図１に示す回線制御部54の場合と同様にして閉塞状態のための処理を行い、閉塞状態になったときGK管理部66に対して再登録処理要求108 を出力する（ステップS5）。
【００５１】
GK管理部66では、回線制御部64から再登録処理要求108 を受けると、図１に示すGK管理部56の場合と同様にして、装置情報管理部62から取得した変更情報114 に基づいて電話番号“1234”が削除されたことを把握し（ステップS6〜S7）、GK装置12に対して電話番号“1234”の登録削除を要求する（ステップS8〜S9）。そして、電話番号“1234”が登録削除されたことを確認した後、回線制御部64に対して閉塞解除要求110 を出力する（ステップS10 ）。回線制御部64では、この閉塞解除要求110 を受けて閉塞解除を行う。
【００５２】
なお、本実施例のゲートウェイは、電話番号を登録および削除するための機能を備えているが、電話番号を登録するための機能のみを備えるようにしてもよい。
【００５３】
このように本実施例によるゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなる。また、本実施例によれば、PBX 内線番号とは別個に電話番号を登録しているので、PBX 内線番号体系を考慮することなく電話番号の登録、変更、登録削除等を電話端末から要求することができる。
【００５４】
また、PBX を介して本実施例によるゲートウェイに収容された電話端末の使用者は、場所を移動した場合でも、今までに使用していた電話番号を、PBX 電話番号体系を考慮せずにそのまま使用することができる。図10は、図６に示すGW装置26を使用した電話登録方法の一例を示す説明図であり、電話端末の使用者が場所を移動した後も元の電話番号を使用する場合の電話登録方法を示す。
【００５５】
図10において、IP網10にはGK装置12およびGW装置30、32が接続され、GW装置30、32にはPBX 34、36がそれぞれ接続されている。さらに、PBX 34には場所Ｃに設置されている電話端末38が収容されており、PBX 36には場所Ｄに設置されている電話端末40が収容されている。ここで、GW装置30、32は、図６に示すGW装置26と同じものである。なお、電話端末38のPBX 内線番号およびGK装置12に登録されている電話番号をそれぞれ“1001”、“1234”とし、電話端末40のPBX 内線番号を“2001”とする。
【００５６】
電話端末38を使用していた使用者は、場所Ｃから場所Ｄに移動して電話端末40を使用する場合、現在使用している電話端末38からGW装置30を呼び、電話番号変換削除コード“#*4 ”、PBX 内線番号“1001”および電話番号“1234”を入力する。これにより、GW装置34における着信番号変換情報からPBX 内線番号“1001”および電話番号“1234”が削除され、GK装置12に登録されていた電話番号“1234”が登録離脱される。使用者は場所Ｃから場所Ｄに移動する。
【００５７】
場所Ｄに移動した使用者は、電話端末40からGW装置32を呼び、電話番号変換登録コード“#*3 ”、PBX 内線番号“2001”および電話番号“1234”を入力する。これにより、電話端末40が収容されているPBX 36が接続されているGW装置36における着信番号変換情報にPBX 内線番号“2001”および電話番号“1234”が新規に登録され、GK装置12には電話番号“1234”が新規に登録される。これにより、使用者は、電話端末38で使用していた電話番号“1234”をそのまま電話端末40でも使用することができる。
【００５８】
【発明の効果】
以上説明したように本発明のゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなるという効果が得られる。
【図面の簡単な説明】
【図１】本発明によるゲートウェイ（GW装置）の実施例を示すブロック図である。
【図２】図１に示すGW装置を使用したVoIPネットワークの構成例(1) を示すブロック図である。
【図３】図２示す各装置の電話番号変更時における動作を示すフローチャートである。
【図４】図２示す各装置の電話番号削除時における動作を示すフローチャートである。
【図５】図１に示すGW装置を使用した電話番号登録方法の例(1) を示す説明図である。
【図６】本発明によるGW装置の他の実施例を示すブロック図である。
【図７】図６に示すGW装置を使用したVoIPネットワークの構成例(2) を示すブロック図である。
【図８】図７示す各装置の電話番号変更時における動作を示すフローチャートである。
【図９】図７示す各装置の電話番号削除時における動作を示すフローチャートである。
【図１０】図６に示すGW装置を使用した電話番号登録方法の例(2) を示す説明図である。
【符号の説明】
10  IP網
12  GK装置
14、18、20、26、30、32  GW装置
16、22、24、38、40  電話端末
28、34、36  構内交換機
50、60  回線部
52、62  装置情報管理部
54、64  回線制御部
56、66  GK管理部
【図１】
0003936277.tif 000002
【図２】
0003936277.tif 000003
【図３】
0003936277.tif 000004
【図４】
0003936277.tif 000005
【図５】
0003936277.tif 000006
【図６】
0003936277.tif 000007
【図７】
0003936277.tif 000008
【図８】
0003936277.tif 000009
【図９】
0003936277.tif 000010
【図１０】
0003936277.tif 000011